(57)【要約】【課題】主索保持材（ロープヒッチ）を容易かつ強固に支持することができ、ロープ引き回しなども容易となるエレベータ装置を提供する。【解決手段】昇降路１１の上方に構成された機械室１５の内部に巻上機２２が設置され、この巻上機２２のメインシーブ２１に巻き掛けられた主索２３の両端が、機械室１５の床１６に形成された開口１６ａを通ってそれぞれ昇降路１１内に達している。そして、この主索２３の一端部を昇降路１１内に設けられた乗りかご１２の滑車１２ａに巻き掛け、他端部を釣合錘１３の滑車１３ａに巻きかけた後、昇降路１１内に設けた主索保持材２５に連結し、保持させる。【選択図】図１
2013107765.tif 000002
【特許請求の範囲】
【請求項１】
昇降路と、
この昇降路の上方に構成され、内部に巻上機が設置された機械室と、
この機械室内の前記巻上機のメインシーブに巻き掛けられ、両端が前記機械室の床に形成された開口を通ってそれぞれ前記昇降路内に達する主索と、
前記昇降路内にそれぞれ昇降可能に設置され、それぞれ前記主索が巻き掛けられる滑車を有する乗りかご及び釣合錘と、
前記昇降路内に設けられ、前記乗りかごの滑車に巻きかけられた主索の一端部及び前記釣合錘の滑車に巻きかけられた主索の他端部をそれぞれ保持する主索保持材と、
を備えたことを特徴とするエレベータ装置。
【請求項２】
前記機械室内の構造材に一端が固定され、前記機械室の床に形成された開口を通って昇降路内に延在するブラケットの他端により前記主索保持材が固定されていることを特徴とする請求項１に記載のエレベータ装置。
【請求項３】
前記ブラケットが通っている開口は、前記主索が通る開口と共通であることを特徴とする請求項２に記載のエレベータ装置。
【請求項４】
前記ブラケットは、前記共通の開口に存在する主索と干渉しない形状であることを特徴とする請求項３に記載のエレベータ装置。
【請求項５】
前記主索保持材は、昇降路内側面を構成する躯体に保持された昇降路内の梁に取り付けられていることを特徴とする請求項１に記載のエレベータ装置。
【請求項６】
前記主索保持材は、昇降路内に設けられた乗りかご用のガイドレール及び釣合錘用のガイドレールのいずれか又は双方によって前記昇降路内にて支持されていることを特徴とする請求項１に記載のエレベータ装置。
【発明の詳細な説明】
【技術分野】
【０００１】
本発明の実施形態は、主索（以下、ロープとも呼ぶ）端部の保持構造を改良したエレベータ装置に関する。
【背景技術】
【０００２】
これまでのエレベータ装置は、建物内に縦方向に形成された昇降路の上方に機械室を設けた構造のものが主流であった。このようなエレベータ装置では、昇降路内には乗りかご及び釣合錘が、それぞれガイドレールによって昇降可能に設置されている。また、機械室内には、マシンビーム受け梁やマシンビームが、さらに、その上にはマシンベースが設置され、このマシンベース上に取り付けられたマシンベッド上（機械室内の比較的高い位置）には、メインシーブを備えた巻上機が設置されている。
【０００３】
このメインシーブには、昇降路の天井部（機械室の床でもある）に設けた開口を貫通するロープが巻き掛けられている。このロープは昇降路内に設けられた乗りかごと釣合錘とを接続し、これら乗りかご及び釣合錘を吊支している。これら乗りかご及び釣合錘は、巻上機によりメインシーブを回転させることにより、昇降路内において相互に昇降駆動される。
【０００４】
これに対し、近年は機械室を設けない所謂機械室レスのエレベータ装置が多く用いられるようになってきた。この場合、巻上機は昇降路内の上部に設置されるため、小形で高速回転形のものが用いられ、ローピングもＮ：１（例えば２：１）にし、小形のモータでも充分な駆動力が得られるようにしている。
【０００５】
ところで、エレベータ装置を設置してからの運用年数が大きく経過すると、主な機器を交換したり新たに設置する所謂リニューアルが行われる。このようなリニューアルを行う場合、機械室式のエレベータ装置を機械室レスのエレベータ装置に変更することは、大きな改造を要するため、機械室を利用しつつ、新たな機器に交換することが多い。このような機械室をそのまま用いるリニューアルであっても、現在の標準機種である小形の巻上機を使用し、ローピングを２：１へ変更することが行われている。
【先行技術文献】
【特許文献】
【０００６】
【特許文献１】特開２００４−１６８５１８号公報
【特許文献２】特開２００４−１９６４６９号公報
【特許文献３】特開２００８−３０８８５号公報
【発明の概要】
【発明が解決しようとする課題】
【０００７】
このようにローピングを２：１にした場合、乗りかご及び釣合錘の滑車に巻きかけられたロープの端部を固定する主索保持材（以下、ヒッチとも呼ぶ）が必要となる。このヒッチは、機械的強度の高い構造材が存在する機械室内部に設置することが考えられる。
【０００８】
しかしながら、ヒッチを機械室へ設置するためには、昇降路内の乗りかごや釣合錘の滑車に巻きかけられたロープの端部を機械室内に通すため開口を、機械室の床へ新たに穿設加工しなければならない。また、機械室内には、前述のように、マシンビーム受け梁やマシンビーム、さらに、マシンベースやマシンベッドが設けられ、このマシンベッド上にメインシーブを備えた巻上機が設置されている。また、この他、そらせシーブなども設けられており、このような機械室内にヒッチを新たに設けることはスペース上及び作業性の上からも難しく、ロープの引き回しなどが複雑になるといった問題があった。
【０００９】
本発明が解決しようとする課題は、主索保持材（ロープヒッチ）を容易かつ強固に支持することができ、ロープ引き回しなども容易となるエレベータ装置を提供することにある。
【課題を解決するための手段】
【００１０】
本発明の実施の形態によるエレベータ装置は、昇降路と、この昇降路の上方に構成され、内部に巻上機が設置された機械室と、この機械室内の前記巻上機のメインシーブに巻き掛けられ、両端が前記機械室の床に形成された開口を通ってそれぞれ前記昇降路内に達する主索と、前記昇降路内にそれぞれ昇降可能に設置され、それぞれ前記主索が巻き掛けられる滑車を有する乗りかご及び釣合錘と、前記昇降路内に設けられ、前記乗りかごの滑車に巻きかけられた主索の一端部及び前記釣合錘の滑車に巻きかけられた主索の他端部をそれぞれ保持する主索保持材とを備えたことを特徴とする。
【図面の簡単な説明】
【００１１】
【図１】本発明の一実施形態に係るエレベータ装置の要部構成図である。
【図２】本発明の一実施形態における開口内のロープとブラケットとの関係の一例を示す平断面図である。
【図３】本発明の一実施形態における開口内のロープとブラケットとの関係の他の例を示す平断面図である。
【図４】本発明の他の実施形態に係るエレベータ装置の要部構成図である。
【図５】本発明のさらに他の実施形態に係るエレベータ装置の要部構成図である。
【図６】リニューアル前の従来形のエレベータ装置の要部構成図である。
【発明を実施するための形態】
【００１２】
以下、本発明の実施の形態について、図面を用いて詳細に説明する。
【００１３】
この実施の形態は、図６で示す従来形のエレベータ装置を図１で示すようにリニューアルした場合を示しており、以下、これら図１及び図６を用いて説明を行う。
【００１４】
図１及び図６において、図示しない建物に形成された昇降路１１内には、乗りかご１２及び釣合錘１３が、それぞれ図示しないガイドレールによって昇降可能に設けられている。この昇降路１１の上方には機械室１５が設けられている。機械室１５の床１６上にはマシンビーム１７が設けられ、その上には支持部材１８を介してマシンベース１９が設置され、このマシンベース１９上のマシンベッド２０上に、メインシーブ２１を備えた巻上機２２が設置されている。
【００１５】
ここで、図６で示すリニューアル前の従来形の巻上機２２Ｂは、ウオームギアを用いた大形の巻上機であり、メインシーブ２１Ｂも大径である。これに対し、図１で示すリニューアル後の巻上機２２Ａは、小形で高速回転形のギアレスタイプのものであり、メインシーブ２１Ａも小径である。
【００１６】
これらのメインシーブ２１Ａ，２１Ｂには主索（以下、ロープとして説明する）２３Ａ，２３Ｂが巻き掛けられている。これらのロープ２３Ａ，２３Ｂは、機械室１５の下部に設けられたそらせシーブ２４Ａ，２４Ｂを経た後、床１６に穿設された開口１６ａを通って昇降路１１内に達している。
【００１７】
図６で示すリニューアル前の従来形のエレベータ装置では、１：１ローピングであるため、ロープ２３Ｂの一端は乗りかご１２の支持枠上辺に連結しており、他端は釣合錘１３の上辺に連結している。これに対して、図１で示すリニューアル後のエレベータ装置では、２：１ローピングであるため、ロープ２３Ａの一端は乗りかご１２の支持枠上辺に設けられた滑車１２ａに巻き掛けられた後、昇降路１１内に設けられた主索保持材（以下、単にヒッチとして説明する）２５に連結している。また、ロープ２３Ａの他端は、釣合錘１３の上辺に設けられた滑車１３ａに巻き掛けられた後、同じく昇降路１１内に設けられたヒッチ２５に連結している。
【００１８】
これらロープ２３Ａ,２３Ｂは、対応する巻上機２１Ａ,２１Ｂによりメインシーブ２２Ａ,２２Ｂが回転されることで、図６のリニューアル前は１：１ローピングにより、図１のリニューアル後では２：１ローピングにより、昇降路１１内において乗りかご１２と釣合錘１３をそれぞれ相互に昇降駆動する。
【００１９】
ヒッチ２５は、昇降路１１内の上部に設けられており、図１で示すように、機械室１５内に設けられた構造材であるマシンビーム１７に一端が固定されたブラケット２６により保持固定されている。すなわち、このブラケット２６は、機械室１５内から、その床１６に形成された開口１６ａを通って昇降路１１内に延在しており、ヒッチ２５はこのブラケット２６の他端（図示下端）により保持固定されている。
【００２０】
ブラケット２６が通っている開口１６ａは、ロープ２３Ａが通る開口と共通にすれば、新たな開口を床１６に穿設する必要はなく、工事が容易となる。この場合、ブラケット２６の形状は、共通の開口１６ａ内に存在するロープ２３Ａと干渉しないように、図２で示すように断面Ｌ形のブラケット２６ａとしたり、或いは図３で示すように断面コ形のブラケット２６ｂとすればよい。
【００２１】
上記実施の形態では、ヒッチ２５は、開口１６ａを貫通するブラケット２６により機械室１５内から吊支持されているが、このような構造に限定されるものではなく、例えば、図４で示すように、昇降路１１の内側面を構成する建物の躯体に保持された昇降路１１内の梁（図示紙面と直交する方向に配置されている）２８に取り付けられている構成でもよい。
【００２２】
また、昇降路１１内には乗りかご１２用のレール２９及び釣合錘１３用のレール３０が縦方向に設置されているので、図５で示すように、ヒッチ２５を、これらレール２９,３０のいずれか又は双方によって、昇降路１１内にて支持するように構成してもよい。すなわち、図５で示すように、ヒッチ２５を支持する梁２８を、レール２９,３０間に掛け渡された支持材３２により支持するように構成してもよい。
【００２３】
なお、図４及び図５で示したヒッチ２５に対する支持構成は、乗りかご１２及び釣合錘１３の配置構成や、これらに対するロープ２３Ａの掛け方等により種々異なるものであり、図示構成に限定されるものではない。
【００２４】
このように、巻上機２２が機械室１５内に設けられ、２：１ローピングにより昇降路１１内の乗りかご１２及び釣合錘１３を相互に昇降駆動する構成であって、乗りかご１２の滑車１２ａ、及び釣合錘１３の滑車１３ａに巻き掛けられたロープの端部を保持する主索保持材２５を昇降路１１内に設けたので、主索保持材２５の取り付けが容易であると共にロープ２３の引き回しも容易となる。このため、工事期間を短縮でき、リニューアルにも容易に対応できる。
【００２５】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２６】
１１・・・昇降路
１２・・・乗りかご
１３・・・釣合錘
１２ａ，１３ａ・・・滑車
１５・・・機械室
１６・・・床
１６ａ・・・開口
２１・・・巻上機
２２・・・メインシーブ
２３・・・主索（ロープ）
２５・・・主索保持材（ヒッチ）
２６・・・ブラケット
２８・・・梁
２９、３０・・・レール
【図１】
2013107765.tif 000003
【図２】
2013107765.tif 000004
【図３】
2013107765.tif 000005
【図４】
2013107765.tif 000006
【図５】
2013107765.tif 000007
【図６】
2013107765.tif 000008